(57)【要約】【課題】顧客の安全確認を遵守した上で給油を許可することができる給油所システムを提供する。【解決手段】給油設定を行うデータ入出力機２ａを有する給油装置２と、給油設定がなされた給油装置の近傍の所定の範囲内に電波を発信する電波発信手段（ビーコン）２ｃと、電波発信手段から電波を受信すると、給油許可信号が出力可能になる携帯端末４と、携帯端末から給油許可信号が入力されると、給油装置を給油可能状態にする制御装置（ＳＳＣ）３ａとを備える給油所システム１。携帯端末は、電波を受信してから所定時間ｔ１経過すると、給油許可信号を出力可能とすることができ、携帯端末１４は、電波を受信した後、画面に表示される識別コード１４ａを給油装置１２に読み込ませることで、給油許可信号を給油装置に出力することもできる。【選択図】図１
2020111387.tif 000002
【特許請求の範囲】
【請求項１】
給油設定を行うデータ入出力機を有する給油装置と、
前記給油設定がなされた給油装置の近傍の所定の範囲内に電波を発信する電波発信手段と、
該電波発信手段から電波を受信すると、給油許可信号が出力可能になる携帯端末と、
該携帯端末から給油許可信号が入力されると、前記給油装置を給油可能状態にする制御装置とを備えることを特徴とする給油所システム。
【請求項２】
前記携帯端末は、前記電波を受信してから所定時間経過すると、前記給油許可信号を出力可能になることを特徴とする請求項１に記載の給油所システム。
【請求項３】
前記携帯端末は、前記電波を受信した後、前記給油装置の識別コードを読み込むことで、前記給油許可信号を前記給油装置に出力することを特徴とする請求項１又は２に記載の給油所システム。
【請求項４】
前記携帯端末は、前記電波を受信した後、前記給油装置のＮＦＣタグと近距離通信を行うことで、前記給油許可信号を前記給油装置に出力することを特徴とする請求項１又は２に記載の給油所システム。
【請求項５】
給油設定を行うデータ入出力機を有する給油装置と、
前記給油設定がなされた給油装置の近傍の所定の範囲内に電波を発信する電波発信手段と、
該電波発信手段から電波を受信すると、画面に識別コードが表示される携帯端末と、
前記識別コードを前記給油装置に読み込ませると、該給油装置を給油可能状態にする制御装置とを備えることを特徴とする給油所システム。
【請求項６】
前記携帯端末は、前記電波を受信してから所定時間経過すると、前記識別コードを表示することを特徴とする請求項５に記載の給油所システム。
【請求項７】
前記電波発信手段は、複数の給油装置のために、前記電波と、前記給油設定がなされた給油装置の識別情報を出力することを特徴とする請求項１乃至６のいずれかに記載の給油所システム。
【発明の詳細な説明】
【技術分野】
【０００１】
本発明は、給油所システムに関し、特に、セルフサービス方式の給油所において顧客の安全を確保する技術に関する。
【背景技術】
【０００２】
近年、人件費削減等の目的で給油作業、窓拭き等のサービス作業、及び給油料金の精算作業を顧客自身が行うセルフサービス方式の給油所が急増している。このようなセルフサービス方式の給油所では、事務所内に集中制御装置（セルフサービスコンソール：ＳＳＣ）が設置されて給油所作業員が待機し、顧客の操作により給油装置から給油要求があった場合、当該給油エリアの安全を目視確認した後にＳＳＣを操作して給油を許可する。
【０００３】
一方、セルフサービス方式の給油所において、セルフサービスによる給油に不慣れな顧客に対して説明を行う必要が生じても、給油所作業員が少ない場合には、上記作業を行うためにＳＳＣの前から離れることができないことも多く、円滑にサービスを提供できないおそれがある。
【０００４】
そこで、本出願人は、特許文献１において、複数台の給油機と、該給油機を制御するセルフコンソール及びＰＯＳ端末を有するセルフ給油管理システムにおいて、携帯端末による無線で給油許可信号を出力することで給油機による給油を許可することが可能な給油管理システムを提案した。
【先行技術文献】
【特許文献】
【０００５】
【特許文献１】特開２０１０−１００２８９号公報
【発明の概要】
【発明が解決しようとする課題】
【０００６】
上記発明も有効であるが、携帯端末において給油許可信号の出力条件が存在しないため、顧客の安全を確認できない場合でも給油が許可される可能性を否定できなかった。
【０００７】
本発明は、上記従来の技術に鑑みてなされたものであって、顧客の安全確認を遵守した上で給油を許可することができる給油所システムを提供することを目的とする。
【課題を解決するための手段】
【０００８】
上記目的を達成するため、本発明は、給油所システムであって、給油設定を行うデータ入出力機を有する給油装置と、前記給油設定がなされた給油装置の近傍の所定の範囲内に電波を発信する電波発信手段と、該電波発信手段から電波を受信すると、給油許可信号が出力可能になる携帯端末と、該携帯端末から給油許可信号が入力されると、前記給油装置を給油可能状態にする制御装置とを備えることを特徴とする。
【０００９】
本発明によれば、携帯端末における給油許可信号の出力条件を、給油装置の近傍における電波の受信とすることで、携帯端末を携帯する給油所作業員が給油装置の近傍まで移動することになり、必然的に顧客の安全が確認される。
【００１０】
上記給油所システムにおいて、前記携帯端末は、前記電波を受信してから所定時間経過すると、前記給油許可信号を出力可能になるようにすることで、給油所作業員が顧客の安全を確認してから給油許可を出力することができる。
【００１１】
また、前記携帯端末は、前記電波を受信した後、前記給油装置の識別コードを読み込むことで、前記給油許可信号を前記給油装置に出力したり、前記給油装置のＮＦＣ（Near Field Communication、近距離無線通信）タグと近距離通信を行うことで、前記給油許可信号を前記給油装置に出力することができ、これにより、給油所作業員は給油装置まで行くこととなるため、顧客の安全確認がより確実に行われる。
【００１２】
また、本発明は、給油所システムであって、給油設定を行うデータ入出力機を有する給油装置と、前記給油設定がなされた給油装置の近傍の所定の範囲内に電波を発信する電波発信手段と、該電波発信手段から電波を受信すると、画面に識別コードが表示される携帯端末と、前記識別コードを前記給油装置に読み込ませると、該給油装置を給油可能状態にする制御装置とを備えることを特徴とする。
【００１３】
本発明によれば、給油装置を給油可能状態にする条件を、携帯端末の画面に表示された識別コードを給油装置に読み込ませることとすることで、携帯端末を携帯する給油所作業員が給油装置の近傍まで移動することになり、必然的に顧客の安全が確認される。
【００１４】
上記給油所システムにおいて、前記携帯端末は、前記電波を受信してから所定時間経過すると、前記識別コードを表示するようにすることで、給油所作業員が顧客の安全を確認してから給油装置を給油可能状態にすることができる。
【００１５】
上記給油所システムにおいて、前記電波発信手段を、複数の給油装置のために、前記電波と、前記給油設定がなされた給油装置の識別情報を出力するように構成することで、給油装置毎に電波発信手段を設ける必要がなくなり、設備コストを低減することができる。
【発明の効果】
【００１６】
以上のように、本発明によれば、顧客の安全確認を遵守した上で給油を許可することができる給油所システムを提供することができる。
【図面の簡単な説明】
【００１７】
【図１】本発明に係る給油所システムの第１の実施形態について説明するための概略図であって、（ａ）は給油所システムの概略図を、（ｂ）及び（ｃ）は携帯端末の表示画面を各々示す。
【図２】図１に示す給油所システムの動作を示すフローチャートである。
【図３】図１に示す給油所システムの変形例について説明するための概略図であって、（ａ）は給油所システムの概略図を、（ｂ）及び（ｃ）はスマートウォッチの表示画面を各々示す。
【図４】本発明に係る給油所システムの第２の実施形態について説明するための概略図であって、（ａ）は給油所システムの概略図を、（ｂ）及び（ｃ）は携帯端末の表示画面を各々示す。
【図５】図４に示す給油所システムの動作を示すフローチャートである。
【図６】図４に示す給油所システムの変形例について説明するための概略図であって、（ａ）は給油所システムの概略図を、（ｂ）及び（ｃ）はスマートウォッチの表示画面を各々示す。
【図７】本発明に係る給油所システムの第３の実施形態について説明するための概略図であって、（ａ）は給油所システムの概略図を、（ｂ）及び（ｃ）は携帯端末の表示画面を各々示す。
【図８】図７に示す給油所システムの動作を示すフローチャートである。
【図９】図７に示す給油所システムの変形例について説明するための概略図であって、（ａ）は給油所システムの概略図を、（ｂ）及び（ｃ）はスマートウォッチの表示画面を各々示す。
【図１０】本発明に係る給油所システムの第４の実施形態について説明するための概略図であって、（ａ）は給油所システムの概略図を、（ｂ）は携帯端末の表示画面を各々示す。
【図１１】図１０に示す給油所システムの動作を示すフローチャートである。
【図１２】本発明に係る給油所システムの第５の実施形態を説明するための概略図であって、（ａ）は給油所システムの一部を示す概略図を、（ｂ）及び（ｃ）は携帯端末の表示画面を、（ｄ）及び（ｅ）はスマートウォッチの表示画面を各々示す。
【発明を実施するための形態】
【００１８】
次に、本発明を実施するための形態について、図面を参照しながら詳細に説明する。
【００１９】
図１（ａ）は、本発明に係る給油所システムの第１の実施形態を示し、この給油所システム１は、データ入出力機２ａを有する給油装置２と、ＳＳＣ（セルフサービスコンソール、制御装置）３ａを有するＰＯＳ３と、給油所作業員が携帯する携帯端末４とで構成される。尚、説明の都合上、図１（ａ）に給油装置２とデータ入出力機２ａを２つずつ記載したが、２つの給油装置２及びデータ入出力機２ａは各々同一の１つの装置である。
【００２０】
給油装置２は、ＰＯＳ３に給油要求信号を出力するデータ入出力機２ａの他に、給油データ等を表示する表示器２ｂと、給油装置２の近傍の所定の範囲内に信号を出力する（電波を発する）ビーコン２ｃと、その他、通常の給油装置に設けられる給油系統等を備える。
【００２１】
ＰＯＳ３は、給油設定がされた給油装置２に、ビーコン信号を出力するよう指示するビーコン信号出力指示信号を出力する点で従来と異なり、その他の構成は従来と同様である。
【００２２】
ＳＳＣ３ａは、携帯端末４から給油許可信号が入力された際に、給油装置２に給油機駆動信号を出力するために設けられる。
【００２３】
次に、上記構成を有する給油所システム１の動作について、図１及び図２を参照しながら説明する。尚、図２のルートが分岐するステップにおいては、下方向がＹｅｓ、横方向がＮｏに対応する。
【００２４】
データ入出力機２ａのステップＳ１において、顧客による給油設定が終了すると（ステップＳ１；Ｙｅｓ）、ＰＯＳ３及びＳＳＣ３ａに給油設定を行った給油装置２の識別情報を含む給油条件を出力してデータ入出力機２ａの動作を終了する（ステップＳ２）。
【００２５】
ステップＳ１１において、データ入出力機２ａから給油条件が入力されたＰＯＳ３は（ステップＳ１１；Ｙｅｓ）、給油装置２にビーコン信号出力指示信号を出力する（ステップＳ１２）。
【００２６】
ステップＳ２１において、ビーコン信号出力指示信号が入力された給油装置２は（ステップＳ２１；Ｙｅｓ）、給油装置２の近傍の所定の範囲を通信可能範囲Ａ１（図１（ａ）参照）とするビーコン信号をビーコン２ｃから出力し（ステップＳ２２）、さらにステップＳ２３において、ノズルＳＷ（スイッチ）がＯＮになると（ステップＳ２３；Ｙｅｓ）、給油要求信号をＰＯＳ３及びＳＳＣ３ａに出力する（ステップＳ２４）。
【００２７】
ステップＳ１３において、給油装置２から給油要求信号が入力されたＰＯＳ３は（ステップＳ１３；Ｙｅｓ）、給油要求表示信号をＳＳＣ３ａに出力する（ステップＳ１４）。
【００２８】
ステップＳ４２によって給油要求信号が入力されたＳＳＣ３ａにおいて（ステップＳ４２；Ｙｅｓ）、ステップＳ４３でＰＯＳ３から給油要求表示信号が入力されると（ステップＳ４３；Ｙｅｓ）、携帯端末４に給油設定を行った給油装置２の識別情報を含む給油要求表示信号を転送する（ステップＳ４４）。ステップＳ５１において、ＳＳＣ３ａから給油要求表示信号が入力された携帯端末４は、図１（ｂ）に示すように、画面に給油要求がなされた給油装置２の識別情報（１は装置番号、Ａは給油エリア）を表示して給油所作業員に給油装置２を使用する顧客の安全確認を促す（ステップＳ５２）。
【００２９】
携帯端末４のステップＳ５３において、給油装置２のビーコン２ｃからビーコン信号が入力され（ステップＳ５３；Ｙｅｓ）、給油所作業員が給油装置２を使用する顧客の安全を確認し、ビーコン信号が入力されてからの経過時間Ｔが所定時間ｔ１に達すると（ステップＳ５４；Ｙｅｓ）、給油所作業員が給油装置２を使用する顧客の安全を確認したと判定し、図１（ｃ）に示すように、給油許可信号の出力を実行するためのＯＫ釦４ａを携帯端末４の画面に表示する（ステップＳ５５）。
【００３０】
ステップＳ５６において、顧客の安全を確認した給油所作業員がＯＫ釦４ａを押圧すると（ステップＳ５６；Ｙｅｓ）、ＳＳＣ３ａに給油許可信号を出力して携帯端末４の動作を終了する（ステップＳ５７）。ステップＳ４５において、給油許可信号が入力されたＳＳＣ３ａは（ステップＳ４５；Ｙｅｓ）、給油装置２に給油装置駆動信号及び給油条件を出力して動作を終了する（ステップＳ４６）。
【００３１】
ステップＳ２５において、給油装置駆動信号及び給油条件が入力された給油装置２は（ステップＳ２５；Ｙｅｓ）、入力された給油条件の下で給油可能な状態となり、表示器２ｂにリセット信号を送信することで前回なされた給油に関する情報の帰零（リセット）を行い、給油ポンプを駆動すると共に、ステップＳ２２にて出力していたビーコン信号の出力を停止する（ステップＳ２６）。
【００３２】
ステップＳ２７において、給油ノズルより燃料油が吐出されることで流量パルス信号が表示器に出力され（ステップＳ２７；Ｙｅｓ）、表示器２ｂに給油量の表示（計数表示）がされる（ステップＳ２８）。
【００３３】
ステップＳ２９において、顧客が給油ノズルをノズル掛けに戻すことでノズルＳＷがＯＦＦになると（ステップＳ２９；Ｙｅｓ）、給油ポンプを停止し（ステップＳ３０）、ＰＯＳ３に給油データを出力して給油装置２の動作を終了する（ステップＳ３１）。
【００３４】
ステップＳ１５で給油装置２から給油データが入力されたＰＯＳ３は（ステップＳ１５；Ｙｅｓ）、売上げ管理のために入力された給油データを保存して動作を終了する（ステップＳ１６）。
【００３５】
以上のように、本実施の形態によれば、携帯端末４における給油許可信号の出力条件を、給油装置２の近傍における電波の受信とすることで、携帯端末４を携帯する給油所作業員が給油装置２の近傍まで移動することになり、必然的に顧客の安全が確認される。
【００３６】
次に、上記給油所システム１の変形例について図３を参照しながら説明する。この変形例における給油所システム１Ｖは、図３（ａ）に示すように、上記携帯端末４（図１参照）に代えてスマートウォッチ９を備え、ＳＳＣ３ａがＰＯＳ３から分離されている点で上記給油所システム１と相違する。
【００３７】
スマートウォッチ９は、腕時計型で、従来より小型のスマートフォンであり、携帯端末４と同様に表示機能や通信機能を備える。各々独立したＰＯＳ３及びＳＳＣ３ａは、情報授受が行えるように接続される。尚、給油所システム１Ｖの動作は、図２に示す動作と同様であり、携帯端末４の動作をスマートウォッチ９が代わりに行う。
【００３８】
本給油所システム１Ｖによっても、上記給油所システム１と同様に、スマートウォッチ９を携帯する給油所作業員が給油装置２の近傍まで移動することになり、必然的に顧客の安全が確認される。尚、給油要求時（図２のステップＳ５１に対応）及びビーコン２ｃから電波を受信した際（図２のステップＳ５５に対応）のスマートウォッチ９の表示画面は、図３（ｂ）及び（ｃ）に示す通りであり、図３（ｃ）に示すように、スマートウォッチ９の画面にもＯＫ釦９ａが表示される。
【００３９】
次に、本発明に係る給油所システムの第２の実施形態について、主に図４〜図６を参照しながら説明する。以下、上記第１の実施形態に関連して図１も参照しながら説明する場合がある。
【００４０】
図４に示すように、本実施の形態における給油所システム１１は、上記第１の実施形態の給油所システム１の給油装置２及び携帯端末４とは異なる構成を有する給油装置１２及び携帯端末１４を備え、上記給油所システム１のＰＯＳ３及びＳＳＣ３ａを備える。
【００４１】
給油装置１２は、上記給油装置２のデータ入出力機２ａ、表示器２ｂ及びビーコン２ｃに加え、識別コード読取部１２ａをさらに備える。携帯端末１４は、給油要求時には給油装置１２の識別情報を画面に表示し（図４（ｂ）参照）、ビーコン２ｃから電波を受信した際には識別コード１４ａを画面に表示するように構成される（図４（ｃ）参照）。
【００４２】
上記構成を有する給油所システム１１は、上記給油所システム１のように携帯端末４がビーコン２ｃの通信可能範囲Ａ１の中でＯＫ釦４ａを押圧するのではなく、ＯＫ釦４ａの押圧の代わりに携帯端末１４の識別コード１４ａを給油装置１２の識別コード読取部１２ａに読み込ませることで給油装置１２の給油を許可する。
【００４３】
以下、給油所システム１１の動作について主に図５を参照しながら詳しく説明する。尚、同図において、図２に示す上記給油所システム１の動作と同一のステップについては同一の参照番号を付す。また、図５のルートが分岐するステップにおいても、下方向がＹｅｓ、横方向がＮｏに対応する。
【００４４】
データ入出力機２ａのステップＳ１において、顧客による給油設定が終了すると（ステップＳ１；Ｙｅｓ）、ＰＯＳ３及びＳＳＣ３ａに給油設定を行った給油装置１２の識別情報を含む給油条件を出力してデータ入出力機２ａの動作を終了する（ステップＳ２）。
【００４５】
ステップＳ１１において、データ入出力機２ａから給油条件が入力されたＰＯＳ３は（ステップＳ１１；Ｙｅｓ）、給油装置１２にビーコン信号出力指示信号を出力する（ステップＳ１２）。
【００４６】
ステップＳ２１において、ビーコン信号出力指示信号が入力された給油装置１２は（ステップＳ２１；Ｙｅｓ）、給油装置１２の近傍の所定の範囲を通信可能範囲Ａ１（図４（ａ）参照）とするビーコン信号をビーコン２ｃから出力し（ステップＳ２２）、さらにステップＳ２３において、ノズルＳＷ（スイッチ）がＯＮになると（ステップＳ２３；Ｙｅｓ）、給油要求信号をＰＯＳ３及びＳＳＣ３ａに出力する（ステップＳ２４）。
【００４７】
ステップＳ１３において、給油装置１２から給油要求信号が入力されたＰＯＳ３は（ステップＳ１３；Ｙｅｓ）、給油要求表示信号をＳＳＣ３ａに出力する（ステップＳ１４）。
【００４８】
ステップＳ４２によって給油要求信号が入力されたＳＳＣ３ａにおいて（ステップＳ４２；Ｙｅｓ）、ステップＳ４３でＰＯＳ３から給油要求表示信号が入力されると（ステップＳ４３；Ｙｅｓ）、携帯端末１４に給油設定を行った給油装置１２の識別情報を含む給油要求表示信号を転送する（ステップＳ４４）。ステップＳ５１において、ＳＳＣ３ａから給油要求表示信号が入力された携帯端末１４は、図４（ｂ）に示すように、給油要求がなされた給油装置１２の識別情報を画面に表示して給油所作業員に給油装置１２を使用する顧客の安全確認を促す（ステップＳ５２）。
【００４９】
携帯端末１４のステップＳ５３において、給油装置１２のビーコン２ｃからビーコン信号が入力され（ステップＳ５３；Ｙｅｓ）、給油所作業員が給油装置１２を使用する顧客の安全を確認し、ビーコン信号が入力されてからの経過時間Ｔが所定時間ｔ１に達すると（ステップＳ５４；Ｙｅｓ）、給油所作業員が給油装置１２を使用する顧客の安全を確認したと判定し、図４（ｃ）に示すように、給油装置１２に給油許可信号を出力させるための識別コード１４ａを携帯端末１４の画面に表示し、携帯端末１４の識別コード１４ａを給油装置１２の識別コード読取部１２ａに読み込ませ、携帯端末１４の動作を終了する（ステップＳ６１）。
【００５０】
ステップＳ６２において、携帯端末１４の識別コード１４ａを読み取った給油装置１２は（ステップＳ６２；Ｙｅｓ）、ＳＳＣ３ａに給油許可信号を出力する（ステップＳ６３）。ステップＳ４５において、給油許可信号が入力されたＳＳＣ３ａは（ステップＳ４５；Ｙｅｓ）、給油装置１２に給油装置駆動信号及び給油条件を出力して動作を終了する（ステップＳ４６）。
【００５１】
ステップＳ２５において、給油装置駆動信号が入力された給油装置１２は（ステップＳ２５；Ｙｅｓ）、入力された給油条件の下で給油可能な状態となり、表示器２ｂにリセット信号を送信することで前回なされた給油に関する情報の帰零（リセット）を行い、給油ポンプを駆動すると共に、ステップＳ２２にて出力していたビーコン信号の出力を停止する（ステップＳ２６）。
【００５２】
ステップＳ２７において、給油ノズルより燃料油が吐出されることで流量パルス信号が表示器に出力され（ステップＳ２７；Ｙｅｓ）、表示器２ｂに給油量の表示（計数表示）がされる（ステップＳ２８）。
【００５３】
ステップＳ２９において、顧客が給油ノズルをノズル掛けに戻すことでノズルＳＷがＯＦＦになると（ステップＳ２９；Ｙｅｓ）、給油ポンプを停止し（ステップＳ３０）、ＰＯＳ３に給油データを出力して給油装置１２の動作を終了する（ステップＳ３１）。
【００５４】
ステップＳ１５で給油装置１２から給油データが入力されたＰＯＳ３は（ステップＳ１５；Ｙｅｓ）、売上げ管理のために入力された給油データを保存して動作を終了する（ステップＳ１６）。
【００５５】
本実施の形態によれば、給油許可信号の出力に際し、給油所作業員は、携帯端末１４の識別コード１４ａを給油装置１２の識別コード読取部１２ａに読み込ませるため給油装置１２まで行くこととなる。そのため、顧客の安全確認がより確実に行われる。
【００５６】
次に、図４に示す上記給油所システム１１の変形例について図６を参照しながら説明する。この変形例における給油所システム１１Ｖは、図１の給油所システム１の変形例である図３の給油所システム１Ｖと同様、図６（ａ）に示すように、上記携帯端末１４に代えてスマートウォッチ１９を備え、ＳＳＣ３ａがＰＯＳ３から分離されている点で上記給油所システム１１と相違する。
【００５７】
本給油所システム１１Ｖによっても、上記給油所システム１１と同様に、給油許可信号の出力に際し、給油所作業員は、スマートウォッチ１９の識別コード１９ａを給油装置１２の識別コード読取部１２ａに読み込ませるために給油装置１２まで行くこととなる。そのため、給油所作業員による顧客の安全確認がより確実に行われる。尚、給油要求時（図５のステップＳ５１に対応）及びビーコン２ｃから電波を受信した際（図５のステップＳ６１に対応）のスマートウォッチ１９の表示画面は、図６（ｂ）及び（ｃ）に示す通りである。
【００５８】
次に、本発明に係る給油所システムの第３の実施形態について、主に図７〜図９を参照しながら説明する。以下、上記第１及び第２の実施形態に関連して図１〜図６も参照しながら説明する場合がある。
【００５９】
図７に示すように、本実施の形態における給油所システム２１は、上記第２の実施形態の給油所システム１１の識別コード１４ａの表示と読込を逆の装置で行うように構成され、給油装置２２が識別コード２２ａを備え（図７（ａ）参照）、携帯端末２４が識別コード読取部２４ａを備える（図７（ｃ）参照）。
【００６０】
識別コード２２ａは、給油装置２２の本体表面に貼付されるシール等に印字される。尚、識別コード２２ａの上に別の識別コードが貼付され、給油所作業員が全く関係のない識別コードを読み取ってしまうことを防止するため、データ入出力機２ａに識別コードを表示することもできる。
【００６１】
携帯端末２４は、給油要求時には給油装置２２の識別情報を画面に表示し（図７（ｂ）参照）、給油許可出力時には識別コード読取部２４ａを画面に表示するように構成される（図７（ｃ）参照）。
【００６２】
上記構成を有する給油所システム２１の動作を図８に示す。同図において、図２及び図５に示す上記給油所システム１、１１の動作と同一のステップには同一の参照番号を付す。携帯端末２４のステップＳ７１において、携帯端末２４の識別コード読取部２４ａで給油装置２２の識別コード２２ａを読み取る点以外は、上記給油所システム１、１１における動作説明の通りであり、識別コード読取部２４ａで識別コード２２ａを読み取ることで（ステップＳ７１；Ｙｅｓ）、ＳＳＣ３ａに給油許可信号が出力され（ステップＳ５７）、ステップＳ４５において、給油許可信号が入力されたＳＳＣ３ａは（ステップＳ４５；Ｙｅｓ）、給油装置２２に給油装置駆動信号及び給油条件を出力して動作を終了する（ステップＳ４６）。
【００６３】
また、上記給油所システム１Ｖ、１１Ｖと同様、図９に示すように、上記給油所システム２１の携帯端末２４（図７参照）をスマートウォッチ２９に置き換えて給油所システム２１Ｖを構成することもできる。スマートウォッチ２９の表示画面は、図９（ｂ）及び（ｃ）の通りであり、上記条件を満たせば、スマートウォッチ２９にも識別コード読取部２９ａが表示される。
【００６４】
このように、本実施の形態でも、給油許可信号の出力に際し、給油所作業員は、携帯端末２４の識別コード読取部２４ａで給油装置２２の識別コード２２ａを読み取るために給油装置２４まで行くこととなる。そのため、給油所作業員による顧客の安全確認がより確実に行われる。
【００６５】
次に、本発明に係る給油所システムの第４の実施形態について、主に図１０及び図１１を参照しながら説明する。以下、上記第１〜第３の実施形態に関連して図１〜図９も参照しながら説明する場合がある。
【００６６】
図１０に示すように、本実施の形態における給油所システム３１は、給油装置３２がＮＦＣ（Near Field Communication、近距離無線通信）タグ３２ａを備え（図１０（ａ）参照）、携帯端末３４がＮＦＣタグ３２ａと近距離通信可能に構成され、給油装置３２と携帯端末３４の間でＮＦＣによる近距離通信が確立された際にＰＯＳ３３によって給油が許可されるように構成される。
【００６７】
ＮＦＣタグ３２ａは、携帯端末３４で対応可能な規格であり、携帯端末３４で対応可能ものであればその規格は問わない。また、ＮＦＣタグ３２ａは、ビーコン２ｃが常にＯＮ（発信状態）であっても携帯端末３４と通信可能である。
【００６８】
携帯端末３４は、給油要求時には給油装置３２の識別情報を画面に表示するように構成される（図１０（ｂ）参照）。
【００６９】
ＰＯＳ３３は、給油装置３２から入力される給油装置３２の識別情報と、携帯端末３４から入力されるＮＦＣデータ内の給油装置３２の識別情報とを比較し、これらが一致する場合にＳＳＣ３ａに給油許可信号を出力するために設けられる。
【００７０】
上記構成を有する給油所システム３１の動作を図１１に示す。同図において、図２、図５及び図８に示す上記給油所システム１、１１、２１の動作と同一のステップには同一の参照番号を付す。尚、図１１においても、ルートが分岐するステップにおいては、下方向がＹｅｓ、横方向がＮｏに対応する。
【００７１】
データ入出力機２ａのステップＳ１において、顧客による給油設定が終了すると（ステップＳ１；Ｙｅｓ）、ＰＯＳ３３及びＳＳＣ３ａに給油設定を行った給油装置３２の識別情報を含む給油条件を出力してデータ入出力機２ａの動作を終了する（ステップＳ２）。
【００７２】
ステップＳ１１において、データ入出力機２ａから給油条件が入力されたＰＯＳ３３は（ステップＳ１１；Ｙｅｓ）、給油装置３２にビーコン信号出力指示信号を出力する（ステップＳ１２）。
【００７３】
ステップＳ２１において、ビーコン信号出力指示信号が入力された給油装置３２は（ステップＳ２１；Ｙｅｓ）、給油装置３２の近傍の所定の範囲を通信可能範囲Ａ１（図１（ａ）参照）とするビーコン信号をビーコン２ｃから出力し（ステップＳ２２）、さらにステップＳ２３において、ノズルＳＷ（スイッチ）がＯＮになると（ステップＳ２３；Ｙｅｓ）、給油要求信号をＰＯＳ３３及びＳＳＣ３ａに出力する（ステップＳ２４）。
【００７４】
ステップＳ１３において、給油装置３２から給油要求信号が入力されたＰＯＳ３３は（ステップＳ１３；Ｙｅｓ）、給油要求表示信号をＳＳＣ３ａに出力する（ステップＳ１４）。
【００７５】
ステップＳ４２によって給油要求信号が入力されたＳＳＣ３ａにおいて（ステップＳ４２；Ｙｅｓ）、ステップＳ４３でＰＯＳ３３から給油要求表示信号が入力されると（ステップＳ４３；Ｙｅｓ）、携帯端末３４に給油設定を行った給油装置３２の識別情報を含む給油要求表示信号を転送する（ステップＳ４４）。ステップＳ５１において、ＳＳＣ３ａから給油要求表示信号が入力された携帯端末３４は、図１０（ｂ）に示すように、画面に給油要求がなされた給油装置３２の識別情報（１は装置番号、Ａは給油エリア）を表示して給油所作業員に給油装置３２を使用する顧客の安全確認を促す（ステップＳ５２）。
【００７６】
携帯端末３４のステップＳ５３において、給油装置３２のビーコン２ｃからビーコン信号が入力されると（ステップＳ５３；Ｙｅｓ）、携帯端末３４は給油装置３２のＮＦＣタグ３２ａと通信可能になり（ステップＳ７１）、給油所作業員が給油装置３２を使用する顧客の安全を確認し、携帯端末３４を給油装置３２のＮＦＣタグ３２ａにかざすと、携帯端末３４に給油装置３２からＮＦＣデータ（装置番号及び給油エリア）が入力され（ステップＳ７２；Ｙｅｓ）、携帯端末３４は、このＮＦＣデータをＰＯＳ３３に出力すると共に、ＮＦＣタグ３２ａとの通信を終了する（ステップＳ７３）。
【００７７】
ＰＯＳ３３のステップＳ８１において、携帯端末３４からＮＦＣデータが入力されると、このＮＦＣデータに含まれる給油装置３２の識別情報と、ステップＳ１１で入力された給油装置３２の識別情報とを比較し、両者が一致する場合には（ステップＳ８２；Ｙｅｓ）、ＳＳＣ３ａに給油許可信号を出力する（ステップＳ８３）。そして、携帯端末３４は、ステップＳ７４においてエラー表示信号が入力されていないため（ステップＳ７４；Ｎｏ）、ＮＦＣデータを出力してからの経過時間Ｔが所定時間ｔ１に達すると（ステップＳ７５；Ｙｅｓ）、動作を終了する。
【００７８】
ＳＳＣ３ａにＰＯＳ３３から給油許可信号が入力された後（ステップＳ４５；Ｙｅｓ）は、上記第１〜第３の実施形態の動作と同様に、ＳＳＣ３ａのステップＳ４６、給油装置３２のステップＳ２５〜Ｓ３１、ＰＯＳ３３のステップＳ１５及びＳ１６の順に給油と給油データの保存等が行われ、ＳＳＣ３ａ、給油装置３２及びＰＯＳ３３の動作を終了する。
【００７９】
一方、ＰＯＳ３３のステップＳ８２において、給油装置３２の識別情報が一致しない場合には（ステップＳ８２；Ｎｏ）、ＰＯＳ３３は携帯端末３４にエラー表示信号を出力する（ステップＳ８４）。ＰＯＳ３３からエラー表示信号が入力された携帯端末３４は（ステップＳ７４；Ｙｅｓ）、画面にエラー表示することで給油所作業員に適切な給油装置３２のＮＦＣタグ３２ａに携帯端末３４をかざすように促し、画面にエラーを表示してからの経過時間Ｔが所定時間ｔ２に達すると、ステップＳ５２へ戻り、給油要求がなされた給油装置３２の識別情報を画面に再表示する。
【００８０】
また、上記給油所システム１Ｖ、１１Ｖ、２１Ｖと同様、図示は省略するが、上記給油所システム３１の携帯端末３４をスマートウォッチに置き換えることもできる。
【００８１】
このように、本実施の形態でも、給油許可信号の出力に際し、給油所作業員は、給油装置３２のＮＦＣタグ３２ａに携帯端末３４やスマートウォッチをかざすために給油装置３２まで行くこととなる。そのため、給油所作業員による顧客の安全確認がより確実に行われる。また、携帯端末３４は、ビーコン信号が入力されたときにのみＮＦＣ送受信が可能になり、ＮＦＣデータが入力されるとＮＦＣタグ３２ａとの通信を遮断するため、バッテリーの消耗を防止することができる。
【００８２】
さらに、上記第３の実施形態は、給油装置２２の識別コード２２ａが劣化したり、改ざんされた場合に給油許可信号を出力することができないおそれがあるが、本実施の形態はＮＦＣタグ３２ａを利用するため、確実に給油許可信号を出力することができる。
【００８３】
次に、本発明に係る給油所システムの第５の実施形態について図１２を参照しながら説明する。図１２（ａ）に示すように、本例における給油所システム４１では、給油所の事務所４３の近傍に複数の給油装置４２が設置され、各給油装置４２に上記ビーコン２ｃが設けられていない代わりに、所定数（本例では４台）の給油装置４２を通信可能範囲Ａ２に含むビーコン４５が設置される。尚、事務所４３の中には上記ＰＯＳ３及びＳＳＣ３ａが設置される。
【００８４】
本給油所システム４１によっても、上記第１〜第４の実施形態と同様に、携帯端末やスマートウォッチを携帯する給油所作業員が給油装置の近傍まで移動して顧客の安全を確認することができるだけでなく、各給油装置４２にビーコン２ｃを設けなくて済む分設備コストを低減することができる。
【００８５】
尚、上記給油所システム４１の携帯端末４４の表示画面を、図１２（ｂ）及び（ｃ）に示す。給油要求時には、給油装置４２の識別情報（１Ａ）がグレーアウトで表示され（図１２（ｂ）参照）、ビーコン４５から電波を受信した際には、グレーアウトが解除されて押下可能になる（図１２（ｃ）参照）。第２〜第４の実施形態では、押下の代わりに識別コードの読取りを行ったり、携帯端末をかざしてＮＦＣ通信を行う。尚、給油所システム４１を携帯端末４４ではなく、スマートウォッチ４９で構成した場合における表示画面は、図１２（ｄ）及び（ｅ）に示す通りである。
【００８６】
尚、上記実施の形態では、電波発信手段としてビーコンを用いたが、携帯端末と通信できる発信手段（Wi-Fi（登録商標）等）は特に限定されない。
【符号の説明】
【００８７】
１、１Ｖ  給油所システム
２  給油装置
２ａ  データ入出力機
２ｂ  表示器
２ｃ  ビーコン
３  ＰＯＳ
３ａ  ＳＳＣ
４  携帯端末
４ａ  ＯＫ釦
９  スマートウォッチ
９ａ  ＯＫ釦
１１、１１Ｖ  給油所システム
１２  給油装置
１２ａ  識別コード読取部
１４  携帯端末
１４ａ  識別コード
１９  スマートウォッチ
１９ａ  識別コード
２１、２１Ｖ  給油所システム
２２  給油装置
２２ａ  識別コード
２４  携帯端末
２４ａ  識別コード読取部
２９  スマートウォッチ
２９ａ  識別コード読取部
３１  給油所システム
３２  給油装置
３２ａ  ＮＦＣタグ
３３  ＰＯＳ
３４  携帯端末
４１  給油所システム
４２  給油装置
４３  事務所
４４  携帯端末
４５  ビーコン
４９  スマートウォッチ
Ａ１、Ａ２  通信可能範囲
【図１】
2020111387.tif 000003
【図２】
2020111387.tif 000004
【図３】
2020111387.tif 000005
【図４】
2020111387.tif 000006
【図５】
2020111387.tif 000007
【図６】
2020111387.tif 000008
【図７】
2020111387.tif 000009
【図８】
2020111387.tif 000010
【図９】
2020111387.tif 000011
【図１０】
2020111387.tif 000012
【図１１】
2020111387.tif 000013
【図１２】
2020111387.tif 000014